(57)【要約】【課題】留守中でも、在宅かどうかは外部から推定されにくく、深夜時のセキュリテイを向上させたヒートポンプ給湯装置を提供することを目的とする。【解決手段】圧縮機と放熱器と減圧手段と吸熱器とを含む冷媒循環回路１５と、放熱器で冷媒と熱交換し加熱した温水を貯留する貯湯タンク１７と、貯湯タンクの底部から水を取り出し、放熱器によって加熱された後、貯湯タンクの頭頂部へ戻す積層ポンプ１８とを備え、所定時間帯で冷媒循環回路が稼動し加熱した温水を貯湯タンクに貯留するヒートポンプ給湯装置において、ユーザーが不在し所定時間帯でヒートポンプ給湯装置が稼動しない時、ヒートポンプ給湯装置が稼動するように見せかけ、ユーザーが在宅するように見せるセキュリテイ制御手段２８を備えたことを特徴とする。【選択図】図２
2006349260.tif 000002
【特許請求の範囲】
【請求項１】
圧縮機と放熱器と減圧手段と吸熱器とを含む冷媒循環回路と、前記放熱器で冷媒と熱交換し加熱した温水を貯留する貯湯タンクと、前記貯湯タンクの底部から水を取り出し、前記放熱器によって加熱された後、前記貯湯タンクの頭頂部へ戻す積層ポンプとを備え、所定時間帯で前記冷媒循環回路が稼動し加熱した温水を前記貯湯タンクに貯留するヒートポンプ給湯装置であって、ユーザーが在宅しているかどうかを検知する留守判定手段と、前記留守判定手段により不在と検知された後に、前記ヒートポンプ給湯装置の稼動音を発するセキュリテイ制御手段とを備えたヒートポンプ給湯装置。
【請求項２】
圧縮機と放熱器と減圧手段と吸熱器とを含む冷媒循環回路と、前記放熱器で冷媒と熱交換し加熱した温水を貯留する貯湯タンクと、前記貯湯タンクの底部から水を取り出し、前記放熱器によって加熱された後、前記貯湯タンクの頭頂部へ戻す積層ポンプとを備え、所定時間帯で前記冷媒循環回路が稼動し加熱した温水を前記貯湯タンクに貯留するヒートポンプ給湯装置であって、人物の侵入行動を検知する侵入行動検知手段と、前記侵入行動検知手段により侵入行動が検知された後に、前記ヒートポンプ給湯装置の稼動音を発するセキュリテイ制御手段とを備えたヒートポンプ給湯装置。
【請求項３】
セキュリテイ制御手段は、ヒートポンプ給湯装置の稼動音と類似する音を出す擬音発生装置を備えた請求項１または２記載のヒートポンプ給湯装置。
【請求項４】
セキュリテイ制御手段は、前記吸熱器を作動させることを特徴とする請求項１〜３のいずれか１項記載のヒートポンプ給湯装置。
【請求項５】
セキュリテイ制御手段は、前記圧縮機を間欠起停運転させることを特徴とする請求項１〜４のいずれか１項記載のヒートポンプ給湯装置。
【請求項６】
セキュリテイ制御手段は、前記圧縮機の回転数を低回転数とする請求項１〜５のいずれか１項記載のヒートポンプ給湯装置。
【請求項７】
セキュリテイ制御手段は、前記積層ポンプを動作させることを特徴とする請求項１〜６のいずれか１項記載のヒートポンプ給湯装置。
【請求項８】
ヒートポンプ給湯装置の運転情報またはセキュリテイ制御手段による運転情報を送受信する通信手段を有する請求項１〜７いずれか１項記載のヒートポンプ給湯装置。
【請求項９】
請求項１〜８のいずれか１項記載のヒートポンプ給湯装置のセキュリテイ制御手段としてコンピュータを動作させるプログラム。
【発明の詳細な説明】
【技術分野】
【０００１】
本発明は、深夜電力を利用して給湯するヒートポンプ給湯装置およびそのプログラムに関するものである。
【背景技術】
【０００２】
従来の技術のヒートポンプ給湯装置の例として、図４に示すように、１は冷媒が循環してヒートポンプサイクル運転を行う冷媒回路、２は冷媒回路１の冷媒と水との間で熱交換を行う水／冷媒熱交換器、３はこの水／冷媒熱交換器で高温加熱された湯を貯留する貯湯タンクである。１日に必要とする熱量分を割安の深夜電力を利用して自動的に沸き上げ制御されるようになっている。深夜時間帯になると、ヒートポンプサイクルが作動し、貯湯タンク３の底部から取水して水／冷媒熱交換器で高温沸き上げした後、貯湯タンク３へ貯留し、必要に応じて、貯湯タンク３から出湯するようなヒートポンプ式電気給湯装置が知られている（例えば特許文献１と特許文献２参照）。
【０００３】
また、従来の技術として、旅行などで家を留守にする場合は、この電気給湯装置の電源を切って通電停止の状態にしてから出かける、また、通電停止期間を予め設定しておくようにする電気給湯装置が知られている（例えば特許文献３参照）。
【特許文献１】特開２００１−８２８０３号公報
【特許文献２】特開昭５８−１２４１４４号公報
【特許文献３】特開昭６０−２２８８４８号公報
【発明の開示】
【発明が解決しようとする課題】
【０００４】
しかしながら上記従来のヒートポンプ給湯装置では、割安の深夜電力料金を利用するため、深夜に運転音の伴うヒートポンプサイクルが稼動する。特に、給湯装置であるため、当日在宅して湯を使用する限り、基本はその日の深夜が稼動するものであるという特徴がある。そこで、留守のため通電停止にすると、深夜時間帯にヒートポンプサイクルは稼動しないため、外部からユーザーが留守中であることを特定されやすく、セキュリテイ上において好ましくないという課題があった。また、留守時に通電停止しないようにしても、湯は使用されていないため、深夜時間帯にヒートポンプサイクルは稼動しないので、同様な課題があった。
【０００５】
そこで本発明は、上記従来の課題を解決するもので、留守中でも、在宅かどうかは外部から推定されにくく、深夜のセキュリテイを向上させたヒートポンプ給湯装置およびそのプログラムを提供する。
【課題を解決するための手段】
【０００６】
請求項１記載の本発明のヒートポンプ給湯装置は、圧縮機と放熱器と減圧手段と吸熱器とを含む冷媒循環回路と、放熱器で冷媒と熱交換し加熱した温水を貯留する貯湯タンクと、貯湯タンクの底部から水を取り出し、放熱器によって加熱された後、貯湯タンクの頭頂部へ戻す積層ポンプとを備え、所定時間帯で冷媒循環回路が稼動し加熱した温水を貯湯タンクに貯留するヒートポンプ給湯装置であって、ユーザーが在宅しているかどうかを検知する留守判定手段と、留守判定手段により不在と検知された後に、ヒートポンプ給湯装置の稼動音を発するセキュリテイ制御手段とを備えたことを特徴とする。
【０００７】
請求項２記載の本発明のヒートポンプ給湯装置は、圧縮機と放熱器と減圧手段と吸熱器とを含む冷媒循環回路と、放熱器で冷媒と熱交換し加熱した温水を貯留する貯湯タンクと
、貯湯タンクの底部から水を取り出し、放熱器によって加熱された後、貯湯タンクの頭頂部へ戻す積層ポンプとを備え、所定時間帯で冷媒循環回路が稼動し加熱した温水を貯湯タンクに貯留するヒートポンプ給湯装置であって、人物の侵入行動を検知する侵入行動検知手段と、侵入行動検知手段により侵入行動が検知された後に、ヒートポンプ給湯装置の稼動音を発するセキュリテイ制御手段とを備えたことを特徴とする。
【０００８】
請求項３記載の本発明のヒートポンプ給湯装置は、セキュリテイ制御手段を、ヒートポンプ給湯装置の稼動音と類似する音を出す擬音発生装置を備えるものである。
【０００９】
請求項４記載の本発明のヒートポンプ給湯装置は、セキュリテイ制御手段が、吸熱器を作動させることを特徴とする。
【００１０】
請求項５記載の本発明のヒートポンプ給湯装置は、セキュリテイ制御手段が、圧縮機を間欠起停させることを特徴とする。
【００１１】
請求項６記載の本発明のヒートポンプ給湯装置は、セキュリテイ制御手段が、圧縮機の回転数を低回転数とすることを特徴とする。
【００１２】
請求項７記載の本発明のヒートポンプ給湯装置は、セキュリテイ制御手段が、積層ポンプを動作させることを特徴とする。
【００１３】
請求項８記載の本発明のヒートポンプ給湯装置は、宅外とヒートポンプ給湯装置の運転情報やセキュリテイ制御手段による見せかけ運転情報のやり取りを行う通信手段を有することを特徴とする。
【００１４】
請求項９記載の本発明のプログラムは、上記のセキュリテイ制御手段としてコンピュータを動作させるプログラムである。
【発明の効果】
【００１５】
本発明によれば、留守中でも、在宅かどうかは外部から特定されにくく、セキュリテイを向上させたヒートポンプ給湯装置およびそのプログラムを提供することができる。
【発明を実施するための最良の形態】
【００１６】
第１の発明は、圧縮機と放熱器と減圧手段と吸熱器とを含む冷媒循環回路と、放熱器で冷媒と熱交換し加熱した温水を貯留する貯湯タンクと、貯湯タンクの底部から水を取り出し、放熱器によって加熱された後、貯湯タンクの頭頂部へ戻す積層ポンプとを備え、所定時間帯で冷媒循環回路が稼動し加熱した温水を貯湯タンクに貯留するヒートポンプ給湯装置であって、ユーザーが在宅しているかどうかを検知する留守判定手段と、留守判定手段により不在と検知された後に、ヒートポンプ給湯装置の稼動音を発するセキュリテイ制御手段とを備えたものである。
【００１７】
本実施の形態によれば、ヒートポンプ給湯装置に、ユーザーが不在時でも、このヒートポンプ給湯装置が稼動するように見せかけ、ユーザーが在宅するように見せるセキュリテイ制御手段を設けたことによって、ユーザーが不在で湯を使用しなくても、深夜になると、セキュリテイ制御手段によって、このヒートポンプ給湯装置が稼動し、当日は湯が使用されたように見せかけることができるため、外部からユーザーの留守を特定しにくくなる。また、このセキュリテイ制御手段によって、ヒートポンプ給湯装置の関連部分が動作し、あるいは稼動音が発生するため、留守時の深夜セキュリテイ観点からすると、好ましい。なお、ユーザーとはその家屋で生活する人間に限らず、予め登録された人物等も含めている。
【００１８】
このように、留守中において、確実にヒートポンプ給湯装置の見せかけ運転を実行し、在宅かどうかは外部から推定されにくく、セキュリテイを向上させたヒートポンプ給湯装置を提供することができる。
【００１９】
第２の発明は、圧縮機と放熱器と減圧手段と吸熱器とを含む冷媒循環回路と、放熱器で冷媒と熱交換し加熱した温水を貯留する貯湯タンクと、貯湯タンクの底部から水を取り出し、放熱器によって加熱された後、貯湯タンクの頭頂部へ戻す積層ポンプとを備え、所定時間帯で冷媒循環回路が稼動し加熱した温水を貯湯タンクに貯留するヒートポンプ給湯装置であって、人物の侵入行動を検知する侵入行動検知手段と、侵入行動検知手段により侵入行動が検知された後に、ヒートポンプ給湯装置の稼動音を発するセキュリテイ制御手段とを備えたものである。
【００２０】
本実施の形態によれば、付近の不審な動きを検知する検知手段を設け、その検知手段の結果に基づきセキュリテイ機能を動作させることによって、付近の不審な動きを検知したら、セキュリテイ機能を始動させることができるため、必要な時だけヒートポンプ給湯装置の見せかけ運転を行い、セキュリテイ機能を動かす電力を極力抑えつつ、高性能のセキュリテイ機能付きヒートポンプ給湯装置を提供することができる。
【００２１】
このように、付近の不審な動きを検知してから、セキュリテイ機能を始動させることによって、確実に必要な時だけヒートポンプ給湯装置の見せかけ運転を実行し、セキュリテイ機能を動かす電力を極力抑えながら、在宅かどうかは外部から推定されにくく、セキュリテイを向上させたヒートポンプ給湯装置を提供することができる。
【００２２】
第３の発明は、特に、第１または第２の発明のヒートポンプ給湯装置において、ヒートポンプ給湯装置の稼動音と類似する音を出す擬音発生装置を備え、セキュリテイ制御手段がこの擬音発生装置を動作させるものである。
【００２３】
本実施の形態によれば、ヒートポンプ給湯装置の運転音と類似する音を出す擬音発生装置を設けたことによって、ユーザーが不在時、セキュリテイ制御手段がこの擬音発生装置を動作させて、ヒートポンプ給湯装置の稼動音とよく類似する音を発生させることができるため、ヒートポンプ給湯装置が稼動しているように見せかけることができる。このように、実際ヒートポンプ給湯装置の部分を動作させずに電力消費量を最小限に抑えて、留守中でも、在宅かどうかは外部から推定されにくく、セキュリテイを向上させたヒートポンプ給湯装置を提供することができる。
【００２４】
第４の発明は、特に、第１〜３のいずれか一つの発明のヒートポンプ給湯装置において、セキュリテイ制御手段が、吸熱器を作動させるものである。
【００２５】
本実施の形態によれば、ユーザーが不在時、セキュリテイ制御手段は吸熱器のファンを動作させて、ファンの回転音と送風音または風の流れを発生させることができるため、ヒートポンプ給湯装置が稼動しているように見せかけることができる。このように、留守中でも、在宅かどうかは外部から推定されにくく、セキュリテイを向上させたヒートポンプ給湯装置を提供することができる。
【００２６】
第５の発明は、特に、第１〜４のいずれか一つの発明のヒートポンプ給湯装置において、セキュリテイ制御手段が、圧縮機を間欠起停運転させるものである。
【００２７】
本実施の形態によれば、ユーザーが不在時、セキュリテイ制御手段は圧縮機を間欠運転させて、圧縮機のモーター回転音などを発生させることができるため、ヒートポンプ給湯
装置が稼動しているように見せかけることができる。また、間欠起停運転を繰り返しさせることによって、消費電力を抑えつつ、起動時及び停止時の圧縮機の音によるヒートポンプ給湯装置の見せかけ運転効果は最大となり、より効果的である。
【００２８】
このように、留守中でも、在宅かどうかは外部から推定されにくく、セキュリテイを向上させたヒートポンプ給湯装置を提供することができる。
【００２９】
第６の発明は、特に、第１〜５のいずれか一つの発明のヒートポンプ給湯装置において、セキュリテイ制御手段が、圧縮機の回転数を低回転数とすることである。
【００３０】
本実施の形態によれば、圧縮機の回転数を低回転数例えば最小回転数とすることによって、ヒートポンプ給湯装置が稼動しているように見せかけることができるとともに、消費電力を抑えながら、圧縮機の運転によるヒートポンプ給湯装置の貯湯タンクや冷媒循環回路への影響を最小限に抑えてことができるため、実用上より好ましいセキュリテイ機能付きのヒートポンプ給湯装置を提供することができる。
【００３１】
第７の発明は、特に、第１〜６のいずれか一つの発明のヒートポンプ給湯装置において、セキュリテイ制御手段が、積層ポンプを動作させることである。
【００３２】
本実施の形態によれば、ユーザーが不在時、セキュリテイ制御手段が積層ポンプを動作させて、積層ポンプのモーター音などを発生させることができるため、ヒートポンプ給湯装置が稼動しているように見せかけることができる。また、積層ポンプを動作させて、貯湯タンクの下部から取水して下部へ戻すことによって、貯湯タンク内の温度分布へ影響を与えないため、実用上において、好ましい。
【００３３】
このように、留守中でも、在宅かどうかは外部から推定されにくく、セキュリテイを向上させたヒートポンプ給湯装置を提供することができる。
【００３４】
第８の発明は、特に、第１〜７のいずれか一つの発明のヒートポンプ給湯装置において、宅外とヒートポンプ給湯装置の運転情報やセキュリテイ制御手段による見せかけ運転情報のやり取りを行う通信手段を有するものである。
【００３５】
本実施の形態によれば、宅外例えばセキュリテイ会社とヒートポンプ給湯装置の運転情報やセキュリテイ制御手段による見せかけ運転情報のやり取りを行う通信手段を設けたことによって、この通信手段を通じて、ヒートポンプ給湯装置の通常運転状況や見せかけ運転状況などの情報はセキュリテイ会社と共有することができるため、ユーザーがセキュリテイ会社にわざわざ連絡しなくても、セキュリテイ会社は正確にユーザーの留守情報などを把握することができ、在宅状況に応じて、セキュリテイ会社は適切なセキュリテイ強化施策を講じることができる。
【００３６】
このように、セキュリテイ会社と情報共有を図り、より高性能のセキュリテイ機能付きヒートポンプ給湯装置を提供することができる。
【００３７】
第９の発明は、特に、第１〜８のいずれか１項記載のヒートポンプ給湯装置のセキュリテイ制御手段としてコンピュータを動作させるプログラムである。そして、プログラムであるので、既存のヒートポンプ給湯装置にダウロードなどして本発明のヒートポンプ給湯装置のセキュリテイ制御手段を容易に実現することができる。また記録媒体に記録したり通信回線を用いてプログラムを配信したりすることでプログラムの配布・更新やそのインストール作業が簡単にできる。
【００３８】
（実施の形態１）
図１は、本発明の第１の実施形態におけるヒートポンプ給湯装置の全体構成図、図２は同ヒートポンプ給湯装置のシステム構成図である。
【００３９】
図１と図２において、１０は圧縮機１１と放熱器１２と減圧手段１３と吸熱器１４からなる冷媒循環回路１５を収納するヒートポンプユニット、１６は放熱器１２で加熱された湯を貯留する貯湯タンク１７及び関連配管などを収納する貯湯タンクユニットである。この冷媒循環回路１５はヒートポンプサイクルを構成し、例えば二酸化炭素のような高圧側の冷媒圧力が臨界圧力以上となる冷媒を封入している。また、この吸熱器１４はファンを有する冷媒／空気熱交換器によって構成される。
【００４０】
１８は積層ポンプ、１９は放熱器１２を流れる冷媒と熱交換して高温となった湯を輸送する貯湯管、この貯湯管１９は貯湯タンク１７の頭頂部と連通している。貯湯タンク１７の底部から給水管２０を通って給水し、上部の出湯管２１から出湯する。２２は貯湯タンク１７の底部から積層ポンプ１８によって送られてきた水が放熱器１２で冷媒と熱交換する水／冷媒熱交換器。２３は貯湯管１９を分岐する三方弁で、この三方弁２３が、水／冷媒熱交換器２２の水側出口を貯湯管１９と貯湯タンク１７の下部へ導く戻し管２４にそれぞれ分岐している。
【００４１】
２５は給湯管２１からの湯と給水管２０からの給水を混合する混合弁であり、この混合弁２５を通って所定の流量と温度の温水が給湯端末２６へ送られる。
【００４２】
このように、ヒートポンプユニット１０と貯湯タンクユニット１６によって、ヒートポンプ給湯装置が構成される。
【００４３】
２７はこのヒートポンプ給湯装置の運転を制御する電装部であり、この電装部２７の制御によって、深夜の所定時間になると、ヒートポンプ給湯装置が稼動し、湯を沸かし、貯湯タンク１７へ次の一日必要熱量分を貯めるように運転制御している。２８は所定時間帯でヒートポンプ給湯装置が稼動しない時、ヒートポンプ給湯装置が稼動するように見せかけ、ユーザーが在宅するように見せるセキュリテイ制御手段である。２９はヒートポンプユニット１０内に収納され圧縮機１１の稼動音とよく類似する音を発する擬音発生装置で、セキュリテイ制御手段２８によって制御されるようになっている。擬音発生装置２９は、予め記憶媒体に録音された稼動音をスピーカーを通して再生する様態である。
【００４４】
次に動作、作用について説明する、深夜時間帯開始時刻、例えば夜の１１時になると、貯湯タンク１７の残湯量などに基づいて、深夜時間帯終了時刻例えば次の日の朝７時までに、一日の必要熱量分を貯湯タンク１７に貯められるように、ヒートポンプ給湯装置の運転は電装部２７によって制御されるため、当日、ユーザーが湯を使用し、貯湯タンク１７の残湯量が少ないとき、深夜時間帯において、ヒートポンプ給湯装置が湯を沸かす運転をする。
【００４５】
一方、当日、ユーザーが留守などで不在し湯を使用していないときは、例えば、貯湯タンク１７の垂直方向に温度センサを均等に配置することにより貯湯タンク１７内の残湯量を検出し、貯湯タンク１７内の残湯量が所定量以上であるときは、深夜時間帯になってもヒートポンプ給湯装置は湯を沸かす運転は行われない。
【００４６】
まず、ヒートポンプ給湯装置が湯を沸かす運転をする時について、説明する。積層ポンプ１８の運転により、貯湯タンク１７の底部から冷水例えば１７℃を導出し、水／冷媒熱交換器２２に導かれる。一方、ヒートポンプサイクルにおいては、圧縮機１１から吐出される高温高圧の冷媒ガスは放熱器１２へ流入し、貯湯タンク１７から流れてきた冷水を加
熱する。立ち上がり時、この水／冷媒熱交換器２２で加熱される温水は温度が低い時、三方弁２３によって、戻し管２４を経て貯湯タンク１７の底部へ戻される。そして、この水／冷媒熱交換器２２で加熱され例えば６５〜９０℃まで沸き上げした温水は、三方弁２３の切替によって、貯湯管から貯湯タンク１７の頭頂部に戻され貯留される。いわゆる積層沸き上げを行う。放熱器１２で冷却された冷媒は減圧手段１３で減圧されて吸熱器１４に流入し、ここで大気熱を吸熱して蒸発ガス化し、圧縮機１１に戻る。このように、当日湯が使用されると、深夜時間帯において、圧縮機１１や吸熱器１４のファンなどの運転音を伴うヒートポンプ給湯装置が湯を沸かす運転を行う。
【００４７】
次に、ヒートポンプ給湯装置が湯を沸かす運転をしない時について、説明する。当日、ユーザーが留守などで不在し湯を使用していないとき、貯湯タンク１７内の残湯量が所定量以上であると検出され、深夜時間帯において、ヒートポンプ給湯装置が湯を沸かす運転を行わないとき、セキュリテイ制御手段２８によって、ヒートポンプ給湯装置は稼動するように見せかけ、ユーザーが在宅し湯を使用したように見せる見せかけ運転が行われる。
【００４８】
具体的に、セキュリテイ制御手段２８が擬音発生装置２９を動作させて、ヒートポンプ給湯装置の稼動音とよく類似する音、例えば類似周波数、類似騒音値の音を発生させることができる。そのため、ヒートポンプ給湯装置が稼動しているように見せかけることができる。このように、実際ヒートポンプ給湯装置の部分を動作させずに電力消費量を最小限に抑えて、留守中でも、在宅かどうかは外部から推定されにくく、留守時の深夜セキュリテイを向上させたヒートポンプ給湯装置を提供することができる。
【００４９】
また、セキュリテイ制御手段２８によって、吸熱器１４のファンを回転させることができる。これによって、ファンの回転音と送風音または風の流れを発生させることができるため、ヒートポンプ給湯装置が稼動しているように見せかけることができる。
【００５０】
また、セキュリテイ制御手段２８によって、圧縮機１１を間欠起停運転させることができる。これによって、圧縮機１１のモーター回転音などを発生させることができるため、ヒートポンプ給湯装置が稼動しているように見せかけることができる。また、間欠起停運転を繰り返しさせることによって、消費電力を抑えつつ、起動時及び停止時の圧縮機１１の音によるヒートポンプ給湯装置の見せかけ運転効果は最大となり、より効果的である。
【００５１】
また、セキュリテイ制御手段２８によって、圧縮機１１の回転数を最小回転数とすることができる。これによって、ヒートポンプ給湯装置が稼動しているように見せかけることができるとともに、消費電力を抑えながら、圧縮機１１の運転によるヒートポンプ給湯装置の貯湯タンクや冷媒循環回路への影響を最小限に抑えることができるため、実用上より好ましい。
【００５２】
また、セキュリテイ制御手段２８によって、積層ポンプ１８を動作させることができる。これによって、積層ポンプ１８のモーター音などを発生させることができるため、ヒートポンプ給湯装置が稼動しているように見せかけることができる。また、積層ポンプ１８を動作させて、貯湯タンク１７の下部から取水して戻し管２４経由して下部へ戻すことによって、貯湯タンク１７内の温度分布へ悪影響を与えないため、実用上において、好ましい。
【００５３】
このように、ユーザーが不在で湯を使用しなくて、深夜時間帯において、ヒートポンプ給湯装置が湯を沸かす運転を行わず稼動しないとき、セキュリテイ制御手段２８によって、このヒートポンプ給湯装置が稼動するように見せかけ、当日は湯が使用されたように見せかけることができるため、外部からユーザーの留守を特定しにくくなる。また、このセキュリテイ制御手段２８によって、ヒートポンプ給湯装置の関連部分が動作し、あるいは
稼動音が発生するため、留守時の深夜セキュリテイ観点からすると、好ましい。なお、セキュリテイ制御手段２８はヒートポンプ給湯装置の稼動音を発する以外に、ＬＥＤ等で構成される点灯手段により点灯して、外部からユーザーの留守を特定しにくくしてもよい。
【００５４】
このように、留守中でも、在宅かどうかは外部から推定されにくく、深夜セキュリテイを向上させたヒートポンプ給湯装置を提供することができる。
【００５５】
（実施の形態２）
図３は本発明の第２の実施形態におけるヒートポンプ給湯装置を示すシステム構成図である。
【００５６】
本実施形態において、第１の実施形態と異なる点は、ユーザーが在宅しているかどうかを判定する留守判定手段３０と、不審人物などの侵入行動等不審な動きを検知する侵入行動検知手段３１と、セキュリテイ会社３２と情報のやり取りを行う通信手段３３を新設したことである。
【００５７】
なお、第１の実施形態と同一符号のものは同一構造を有し、説明は省略する。
【００５８】
次に動作、作用について説明する、ヒートポンプ給湯装置が湯を沸かす運転をする時の動作について、第1の実施形態と同様なので、ここでの説明は省略する。
【００５９】
セキュリテイ制御手段２８が、ユーザーが在宅しているかどうかを判定する留守判定手段３０を設けたことによって、ユーザーが在宅か留守かを判定できるため、この判定結果に基づいて、ユーザーが留守時のみ確実にセキュリテイ機能を機能させることができる。よって、このヒートポンプ給湯装置のセキュリテイ機能をより正確に必要な時だけ稼動させることができるため、精度の高いセキュリテイ機能を提供することができる。
【００６０】
このように、留守を判定し、留守中において、確実にヒートポンプ給湯装置の見せかけ運転を実行し、在宅かどうかは外部から推定されにくく、深夜時のセキュリテイを向上させたヒートポンプ給湯装置を提供することができる。
【００６１】
ここで、留守判定手段３０は貯湯タンク１７の出湯流量或いは給湯端末２６への流量を検知積算し、所定積算流量以下の場合は留守と判定するもの、また、貯湯タンク１７の温度分布を検知分析し、タンク内の湯温がほぼ均等になる場合は留守と判定するもの、また、ドアの開閉を検知し、開閉回数は所定回数以下の場合は留守と判定するものなどがある。
【００６２】
また、留守判定手段３０は、留守番電話や防犯セキュリテイ機器と連携してユーザーの在・不在を入力・設定するものであってもよい。あるいは、沸き上げ温度等を設定するリモコン上に在・不在入力ボタンを設けてもよい。これによれば、外出をするときには在・不在入力ボタンを押すことにより不在を登録し、帰宅時に在・不在入力ボタンを押して在宅を登録するものである。
【００６３】
また、ヒートポンプ給湯装置や家屋付近の不審な動きを検知する侵入行動検知手段３１を設け、その検知手段の結果に基づきセキュリテイ機能を動作させることによって、付近の不審な動き（家宅侵入行動など）を検知すると、セキュリテイ機能を始動させることができるため、必要な時だけヒートポンプ給湯装置の見せかけ運転を行うことによって、セキュリテイ機能を動かす電力を極力抑えつつ、高性能のセキュリテイ機能付きヒートポンプ給湯装置を提供することができる。
【００６４】
このように、付近の不審な動きを検知してから、セキュリテイ機能を始動させることによって、確実に必要な時だけヒートポンプ給湯装置の見せかけ運転を実行し、セキュリテイ機能を動かす電力を極力抑えながら、在宅かどうかは外部から推定されにくく、深夜時のセキュリテイを向上させたヒートポンプ給湯装置を提供することができる。
【００６５】
ここで、検出手段３１は深夜時間帯の不審な振動を検出する振動センサーや不審な動きを検出する赤外線センサーなど、防犯に一般的に用いられるセンサーが考えられる。
【００６６】
また、セキュリテイ会社３２と運転や見せかけ運転情報のやり取りを行う通信手段３３を設けたことによって、この通信手段３３を通じて、ヒートポンプ給湯装置の通常運転状況や見せかけ運転状況などの情報はセキュリテイ会社３２と共有することができるため、ユーザーがセキュリテイ会社３２にわざわざ連絡しなくても、セキュリテイ会社３２は正確にユーザーの留守情報などを把握することができ、在宅状況に応じて、セキュリテイ会社３２は適切なセキュリテイ強化施策を講じることができる。
【００６７】
このように、セキュリテイ会社３２と情報共有を図り、より高性能のセキュリテイ機能付きヒートポンプ給湯装置を提供することができる。
【００６８】
なお、本実施の形態において、通信手段を使用し、外出中のユーザーとデータ交信することができる。ヒートポンプ給湯装置の見せかけ運転状況をユーザーへ送信し、また、外出中のユーザーが通信端末、例えば携帯端末を使ってヒートポンプ給湯装置の見せかけ運転の状況、運転開始及び解除を行うことが可能である。
【００６９】
なお、上記各実施の形態において、ヒートポンプユニットと貯湯タンクユニットとは分離し別設するものとしたが、このヒートポンプユニットと貯湯タンクユニットとを合体し一体ものとしても同様な効果が得られる。
【００７０】
なお、上記各実施の形態で説明したセキュリテイ制御手段は、従来のヒートポンプ給湯装置の制御手段（マイコン）、ＲＡＭ、ＲＯＭ、記憶・記録装置、Ｉ／Ｏなどを備えたハードリソースを協働させるプログラムの形態で実施してもよい。プログラムの形態であれば、磁気メディアや光メディアなどの記録媒体に記録したりインターネットなどの通信回線を用いて配信したりすることで本発明のセキュリテイ機能の配布・更新やそのインストール作業が簡単にできる。
【００７１】
なお、上記各実施の形態において、深夜電力契約のヒートポンプ給湯装置を説明したが、ヒートポンプ給湯装置に限らず、深夜所定時間帯で作動するものであれば、例えば深夜蓄熱装置、深夜蓄電装置などにセキュリテイ制御手段を用いれば、同様な効果が得られる。
【産業上の利用可能性】
【００７２】
以上のように、本発明にかかるヒートポンプ給湯装置およびそのプログラムは、留守中でも、在宅かどうかは外部から推定されにくく、深夜時のセキュリテイを向上させたヒートポンプ給湯装置を提供することができる。
【００７３】
また、深夜所定時間帯で作動する装置例えば蓄電、蓄熱、発電装置などにも幅広く応用できる。
【図面の簡単な説明】
【００７４】
【図１】本発明の実施の形態１におけるヒートポンプ給湯装置の全体構成図
【図２】本発明の実施の形態１におけるヒートポンプ給湯装置のシステム構成図
【図３】本発明の実施の形態２におけるヒートポンプ給湯装置のシステム構成図
【図４】従来のヒートポンプ給湯装置の構成図
【符号の説明】
【００７５】
１１  圧縮機
１２  放熱器
１３  減圧手段
１４  吸熱器
１５  冷媒循環回路
１７  貯湯タンク
１８  積層ポンプ
２８  セキュリテイ制御手段
２９  擬音発生装置
３０  留守判定手段
３１  侵入行動検出手段
３２  セキュリテイ会社
３３  通信手段
【図１】
2006349260.tif 000003
【図２】
2006349260.tif 000004
【図３】
2006349260.tif 000005
【図４】
2006349260.tif 000006